(57)【要約】【課題】  デザイン性の高い低価格で供給が可能な立体広告を提供する。【解決手段】  印刷及び浮き出し加工が可能な材質に、二つ折り対象位置に印刷を設け浮き出し加工を施し二つ折り対象位置に合わせる立体広告の製造方法及び立体広告を提供する。【選択図】      図２
2006065264.tif 000002
【特許請求の範囲】
【請求項１】
印刷及び浮き出し加工が可能な材質に、二つ折り対象位置に印刷を設け浮き出し加工を施し、二つ折り対象位置に合わせる立体広告。
【請求項２】
印刷及び浮き出し加工が可能な材質に、二つ折り対象位置に印刷を設ける第一工程、前記第一工程から浮き出し加工を施す第ニ工程と第一工程、
第ニ工程より印刷及び浮き出し加工を設けた二つ折り対象位置に合わせる第三工程とよりなる、請求項１記載の立体広告の製造方法及び立体広告。
【請求項３】
印刷及び浮き出し加工が可能な材質に、二つ折り対象位置に異なる印刷を設ける第一工程、前記第一工程から異なる浮き出し加工を施す第ニ工程と第一工程、第ニ工程より異なる印刷及び異なる浮き出し形状を設けた二つ折り対象位置に合わせる第三工程とよりなる、請求項１記載及び請求項２記載の立体広告の製造方法及び立体広告。
【発明の詳細な説明】
【技術の分野】
【０００１】  本発明は、印刷及び浮き出し加工が可能な材質に印刷及び浮き出し加工を設けた二つ折り対象位置に合わせる立体広告の製造方法及び立体広告に関するものである。
【背景技術】
【０００２】  所定の形状を有した発泡体の全面にポリウレタン系樹脂を所定の厚みに塗布して耐候性皮膜を形成し、その表面に塗装を施し、文字や図形を描いて張り出し看板、チャンネル文字、造形物を形成する立体広告が既存していた。
また、合成樹脂材や軽金属材、その他材料などで広告内容を立体形状で表現した立体物の外周面に対し、厚さ０．０７ｍｍ〜０．１３ｍｍで裏面に接着剤の付与された塩化ビニール樹脂フィルムを使用し、その表面に上記立体物表面に描かれる文字や図形の展開状況を印刷して貼着する立体広告がなされていた。
【実用文献１】
実用新案出願２００３−２６５９
【特許文献１】特開平５−３２３８８５
【発明の開示】
【発明が解決しようとする課題】
【０００３】  これには次のような欠点があった。
従来、立体の形状模型を形成した立体広告が発案されていた。
（イ）平面の広告は実施されていたが、立体広告の普及はコストの問題等により実施には至らなかった。
（ロ）立体の形状模型を形成した立体広告は、製作時間及び製造コスト費用がかかり実施に至らなかった。
（ハ）印刷及び浮き出し加工を施した、低価格の立体広告の提供はなされていなかった。
本発明は、これらの問題点を解決するためになされたものである。
【課題を解決するための手段】
【０００４】  印刷及び浮き出し加工が可能な材質に、二つ折り対象位置に印刷を設け浮き出し加工を施し二つ折り対象位置に合わせる立体広告で、二つ折り対象位置に印刷を設ける第一工程、前記第一工程から浮き出し加工を施す第ニ工程と第一工程、第ニ工程より印刷及び浮き出し加工を設けた二つ折り対象位置に合わせる第三工程とよりなる立体広告の製造方法を提供する。
また、応用として印刷及び浮き出し加工が可能な材質に、二つ折り対象位置に異なる印刷を設ける第一工程、前記第一工程から異なる浮き出し加工を施す第ニ工程と第一工程、第ニ工程より異なる印刷及び異なる立体形状を設けた二つ折り対象位置に合わせる第三工程とよりなる立体広告の製造方法及び立体広告を提供する。
【発明の効果】
【０００５】本発明、印刷及び浮き出し加工が可能な材質に、二つ折り対象位置に印刷を設け浮き出し加工を施し、二つ折り対象位置に合わせる立体広告の効果により、低価格でデザイン性の高い立体広告の提供の実施がされるものである。
二つ折り対象位置に印刷を設ける第一工程、前記第一工程から浮き出し加工を施す第ニ工程と第一工程、第ニ工程より印刷及び浮き出し加工を設けた二つ折り対象位置に合わせる第三工程とよりなる立体広告製造方法の提供の効果により印刷と浮き出し加工の活用により難度形状の立体の形成が可能になり、デザイン性の高い立体広告の提供の実施がされるものである。
また、印刷及び浮き出し加工が可能な材質に、二つ折り対象位置に異なる印刷を設ける第一工程、前記第一工程から異なる浮き出し加工を施す第ニ工程と第一工程、第ニ工程より異なる印刷及び異なる立体形状を設けた二つ折り対象位置に合わせる第三工程とよりなる立体広告の製造方法及び立体広告の提供効果により、異なったデザイン性の供給と低価格の立体広告の提供が実現される。
本発明は、以上の効果を実現するものである。
【発明を実施するための最良の形態】
【０００６】  以下、本発明の実施の形態について図１乃至図４をもちいて説明する。
図１に記載されているのは、本発明の実施の形態で、図面においては素材として用紙（１０１）として記載しているが、室内、屋外等での使用の目的に応じて印刷及び浮き出し加工が可能な材質、用紙、ビニール系での製造が可能で、印刷及び浮き出し加工が可能な材質に印刷を施し、凸面を設ける位置に浮き出し加工を設け印刷凸面（２０）を形成する。
印刷凸面（２０）は、加工を施す材質により異なるが、伸縮性の浮き出し加工に適応した用紙においては約４ｃｍ〜５ｃｍの凸面の形成が可能であり、すなわち凸面の対象図形を重ね合わせることで、約８ｃｍ〜１０ｃｍの立体形状の形成が可能とされる。
図２の記載においては、印刷及び浮き出し加工が可能な材質に、印刷を施し、凸面を設ける位置に浮き出し加工を設け印刷凸面（２０）を形成し、対象となる形状で印刷を施し、凸面を設ける位置に浮き出し加工を設け印刷凸面（２０）を形成し前記記載の半立体面と半立体面を重ね合わせ立体形状を形成した立体広告を示した図である。
図３は、加工の応用実施例で、図１、２記載においては、各、印刷及び浮き出し加工が可能な材質に、印刷を施し、凸面を設ける位置に浮き出し加工を設け印刷凸面（２０）を形成し各重ね合わせにより立体広告を作成していたが、加工の応用実施例は印刷及び浮き出し加工が可能な材質を中心二つ折り対象位置に印刷及び浮き出し加工を設け二つ折り対象位置に合わせることで、加工工程を短縮し立体形状を形成した立体広告が完成される。
本図面においては、同一形状での印刷凸面（２０）を記載しているが、デザインの目的と用途に応じて異なった形状での印刷凸面（２０）を設けての立体広告の作成も可能である。
図４は、本発明、印刷及び浮き出し加工が可能な材質に、二つ折り対象位置に印刷を設け浮き出し加工を施し二つ折り対象位置に合わせる立体広告で、二つ折り対象位置に印刷を設ける第一工程、前記第一工程から浮き出し加工を施す第ニ工程と第一工程、第ニ工程より印刷及び浮き出し加工を設けた二つ折り対象位置に合わせる第三工程とよりなる立体広告の製造方法の経過を示したチャート図である。以上、本発明の構成で、実施において下記に示す。
本発明の実施
本発明は、デザイン性の高い低価格の立体広告の提供により販売店内やスタンドフレームを利用しての屋外での広告掲示が可能とされ、商品の告知と販売効果において産業上実施されるものである。
本発明における立体広告は、商品形状や文字、数字、人物、動物等のあらゆる形状の立体広告の作成が可能で、従来の平面の広告に比較し注目の高い広告の提供が可能である。
以上、本発明は実施される。
【産業上の利用可能性】
【０００７】本発明は、印刷及び浮き出し加工が可能な材質に、二つ折り対象位置に印刷を設け浮き出し加工を施し、二つ折り対象位置に合わせる立体広告の効果により、低価格でデザイン性の高い立体広告の提供の実施がされるものである。
二つ折り対象位置に印刷を設ける第一工程、前記第一工程から浮き出し加工を施す第ニ工程と第一工程、第ニ工程より印刷及び浮き出し加工を設けた二つ折り対象位置に合わせる第三工程とよりなる立体広告製造方法の提供の効果により印刷と浮き出し加工の活用により難度形状の立体の形成が可能になり、デザイン性の高い低価格の立体広告の提供により商品の告知と販売効果において産業上利用されるものである。
本発明は、以上の構成より産業上利用されるものである。
【図面の簡単な説明】
【０００８】
【図１】本発明の実施の図である。
【図２】本発明の実施の図である。
【図３】本発明の実施の応用図である。
【図４】本発明の実施における全体加工工程のチャートを示した図である
【符号の説明】
【０００９】１０．立体広告
１０１．用紙
２０．印刷凸面
【図１】
2006065264.tif 000003
【図２】
2006065264.tif 000004
【図３】
2006065264.tif 000005
【図４】
2006065264.tif 000006